(57)【要約】【課題】擬似基地局に加えて個別に対向用の通信端末を準備すること無しに、移動体通信端末の開発、試験、評価を実験室等の環境で構築する。【解決手段】この擬似基地局装置１は、移動通信端末２と任意の通信プロトコルで通信を行う擬似基地局部１０と、擬似基地局部１０の通信プロトコルに応じた通信手順を記載した第１のシナリオ３１と、被試験機である移動通信端末２の通信相手（対向機）となる仮想の通信端末である仮想端末部２０と、仮想端末部の動作手順を記載した第2のシナリオと、仮想端末部２０から移動通信端末２を直接制御するために接続可能とする制御インタフェース４０とから構成され、移動体通信端末２の開発、試験、評価を行う環境を容易に構築できる。【選択図】  図１
2005244651.tif 000002
【特許請求の範囲】
【請求項１】
移動通信端末（２）と所定の通信プロトコルで接続し、前記移動通信端末の試験を行う擬似基地局部（１０）を備えた擬似基地局装置（１）において、
音声情報および画像情報からなるメディア情報の入出力を行うメディア入出力装置（２２）と、前記メディア入出力装置から入力された前記メディア情報を前記所定の通信プロトコルに基づいた送信データに変換し前記擬似基地局部を通して前記移動通信端末に送信し、かつ前記移動通信端末から前記擬似基地局部を通して受信した前記所定の通信プロトコルに基づいた受信データから前記メディア情報に変換するメディア情報変換部（２１）とを有する仮想端末部（２０）とを備えることを特徴とする擬似基地局装置。
【請求項２】
前記仮想端末部は、前記移動通信端末へ送信するための前記メディア情報を記憶する送信メディア情報記憶部（２６）と、前記移動通信端末から受信した前記メディア情報を記憶する受信メディア情報記憶部（２５）とを有することを特徴とする請求項１記載の擬似基地局装置。
【請求項３】
前記仮想端末部は、前記受信メディア情報記憶部に記憶された前記移動体通信端末から受信した前記所定の通信プロトコルに基づいた受信データから前記メディア情報変換部で変換された前記メディア情報の品質を判定する情報品質判定手段（２７）を有することを特徴とする請求項２記載の擬似基地局装置。
【請求項４】
前記仮想端末部は、前記移動通信端末と接続し前記移動通信端末の動作を制御するコマンドを送受信する制御インタフェース部（４０）を通じて前記移動通信端末を制御することを特徴とする請求項１乃至請求項３記載の擬似基地局装置。
【請求項５】
前記擬似基地局部は、複数の通信プロトコルに対応可能な構成となっており、前記第１のシナリオに指定された通信プロトコルで前記移動通信端末と通信することを特徴とする請求項１乃至請求項４記載の擬似基地局装置。
【請求項６】
前記擬似基地局装置は、前記擬似基地局部で行う前記通信プロトコルの実行手順を記述した第１のシナリオ（３１）と、前記仮想端末部の動作手順を記述した第２のシナリオ（３２）とを有することを特徴とする請求項１乃至請求項５記載の擬似基地局装置。
【請求項７】
前記擬似基地局装置は、前記仮想端末部を複数有することを特徴とする請求項１乃至６記載の擬似基地局装置。
【請求項８】
前記仮想端末部は、前記メディア入出力装置から入力した前記メディア情報または前記送信メディア情報記憶部に記憶した前記メディア情報の少なくともどちらか一方を前記移動通信端末に送信するかを切り替え、かつ前記移動通信端末から受信した前記メディア情報を前記メディア入出力装置に出力するかまたは前記受信メディア情報記憶部に記憶するか少なくともどちらか一方に切り替えを行うことを特徴とする請求項２乃至７記載の擬似基地局装置。
【発明の詳細な説明】
【技術分野】
【０００１】
本発明は、携帯電話等の移動通信端末を開発、試験、評価等に使用する擬似基地局装置において、開発、試験、評価等の対象となる移動通信端末と通信するために対向となる実際の移動通信端末または通信端末（以下、「対向機」ともいう）を準備することなく試験、評価等を行うための技術に関する。
【背景技術】
【０００２】
図６（ａ）、（ｂ）に従来の携帯電話機等の移動通信端末に対する開発、試験、評価等を行うための構成を示した。
【０００３】
携帯電話機等の移動通信端末に対する開発、試験、評価等を行うために、通信試験として実際に通信を頻繁に行う必要があるが、認定取得前の移動通信端末が任意に実際の通信網（以下、「実網」ともいう）の基地局と通信することはできないため、擬似基地局装置を用いて通信試験を行っている。
【０００４】
擬似基地局装置を用いた移動通信端末の開発、試験、評価等における端末間での通信（例えば通話、テレビ電話による通話、データ通信  等）のためには、図６（ａ）に示すように通信相手となる対向機が必要となる。
【０００５】
しかし、対向機となる任意の通信端末装置を準備する必要があり、さらに図６（ｂ）に示すように対向する通信端末装置が移動通信端末の場合には、もう一台の擬似基地局装置を準備しなければならず、システムが大掛かりとなるためその設置や動作させるための設定に多くの時間が必要となり、システム全体の価格も高価となってしまう。
【０００６】
これを解決する技術として、次の特許文献１には、実網の基地局の試験時に、基地局に移動端末（移動通信端末と同意）と同様な処理を行う擬似端末基地局としての機能を付加し他の基地局を試験する技術が開示されている。
【０００７】
この技術によれば、試験専用の移動端末を用意する必要がなく、パターンの照合試験および通話試験を基地局に対して実施することができ、保守者が試験を行う毎に試験専用移動端末を被試験基地局の近くまで移動させる必要がなく、多数の基地局を試験しようとした場合に、工数を削減できるとしている。
【特許文献１】特開平７−２９８３４５号公報
【発明の開示】
【発明が解決しようとする課題】
【０００８】
前述の「背景技術」に示した特許文献１には次に掲げる３つの問題点が存在する。
【０００９】
第１に、特許文献１記載の擬似端末基地局は実網の基地局を試験することを目的に擬似的に移動端末の機能を有するように構成されているため、そのまま移動通信端末を試験する構成とはなりえない。
【００１０】
第２に、特許文献１記載の擬似端末基地局の試験対象である基地局装置は実網上の固定された大掛かりな基地局装置を想定しており、移動通信端末の開発、試験、評価等に用いるように実験室等の環境で使用できるものではなく、さらに柔軟性の高い機能動作の実現や試験内容を任意に設定することは困難である。
【００１１】
第３に、特許文献１記載の技術の目的は、実網の特定の通信プロトコルを有する基地局を試験することであると考えられ、任意の通信プロトコルに対応する構成とはなっておらず通信プロトコルが異なる基地局毎に擬似端末基地局を準備する必要がある。
【００１２】
本発明は、前述の問題を解決し、小規模な構成で移動通信端末の開発、試験、評価等に使用しうる対向機となる仮想端末を内蔵した擬似基地局装置を提供することを目的としている。
【課題を解決するための手段】
【００１３】
前記目的を達成するために、本発明の請求項１の擬似基地局装置は、移動通信端末と所定の通信プロトコルで接続し、前記移動通信端末の試験を行う擬似基地局部を備えた擬似基地局装置において、
音声情報および画像情報からなるメディア情報の入出力を行うメディア入出力装置と、前記メディア入出力装置から入力された前記メディア情報を前記所定の通信プロトコルに基づいた送信データに変換し前記擬似基地局部を通して前記移動通信端末に送信し、かつ前記移動通信端末から前記擬似基地局部を通して受信した前記所定の通信プロトコルに基づいた受信データから前記メディア情報に変換するメディア情報変換部とを有する仮想端末部とを備えた構成を特徴とする。
【００１４】
この構成により、仮想端末部と移動通信端末２とが擬似基地局部を介して通信を行う。
【００１５】
本発明の請求項２の擬似基地局装置は、請求項１の構成に加え、前記仮想端末部は、前記移動通信端末へ送信するための前記メディア情報を記憶する送信メディア情報記憶部と、前記移動通信端末から受信した前記メディア情報を記憶する受信メディア情報記憶部２５とを有する構成を特徴とする。
【００１６】
この構成により、仮想端末部から移動通信端末に送信される送信データを予め送信メディア情報として記憶し、移動通信端末から仮想端末部に受信された受信データから変換されたメディア情報を受信メディア情報として記憶する。
【００１７】
本発明の請求項３の擬似基地局装置は、請求項２の構成に加え、前記仮想端末部は、前記受信メディア情報記憶部に記憶された前記移動体通信端末から受信した前記所定の通信プロトコルに基づいた受信データから前記メディア情報変換部で変換された前記メディア情報の品質を判定する情報品質判定手段を有する構成を特徴とする。
【００１８】
この構成により、仮想端末部は移動通信端末から受信した受信メディア情報を記憶し、その品質を判定する。
【００１９】
本発明の請求項４の擬似基地局装置は、請求項１〜３ぞれぞれの構成に加え、前記仮想端末部は、前記移動通信端末と接続し前記移動通信端末の動作を制御するコマンドを送受信する制御インタフェース部を通じて前記移動通信端末を制御することを特徴とする。
【００２０】
この特徴により、仮想端末部内の仮想端末制御部から移動体通信端末をコマンドにより制御する。
【００２１】
本発明の請求項５の擬似基地局装置は、請求項１〜４ぞれぞれの構成に加え、前記擬似基地局部は、複数の通信プロトコルに対応可能な構成となっており、前記第１のシナリオに指定された通信プロトコルで前記移動通信端末と通信することを特徴とする。
【００２２】
この特徴により、擬似基地局装置は移動通信端末に合わせた任意の通信プロトコルで通信を行う。
【００２３】
本発明の請求項６の擬似基地局装置は、請求項１〜５ぞれぞれの構成に加え、前記擬似基地局装置は、前記擬似基地局部で行う前記通信プロトコルの実行手順を記述した第１のシナリオと、前記仮想端末部の動作手順を記述した第２のシナリオとを有することを特徴とする。
【００２４】
この特徴により擬似基地局部と仮想端末部の動作手順を別々のシナリオに記述し独立に管理する。
【００２５】
本発明の請求項７の擬似基地局装置は、請求項１〜６ぞれぞれの構成に加え、前記擬似基地局装置は、前記仮想端末部を複数有することを特徴とする。
【００２６】
この特徴により移動通信端末と対向する仮想端末を複数実現し、組合わせの試験を行う。
【００２７】
本発明の請求項８の擬似基地局装置は、請求項２〜７ぞれぞれの構成に加え、前記仮想端末部は、前記メディア入出力装置から入力した前記メディア情報または前記送信メディア情報記憶部に記憶した前記メディア情報の少なくともどちらか一方を前記移動通信端末に送信するかを切り替え、かつ前記移動通信端末から受信した前記メディア情報を前記メディア入出力装置に出力するかまたは前記受信メディア情報記憶部に記憶するか少なくともどちらか一方に切り替えを行うことを特徴とする。
【００２８】
この特徴により移動通信端末２に送信するメディア情報はメディア入出力装置から入力したメディア情報か、送信メディア情報記憶部に記憶されているメディア情報の少なくともどちらか一方から使用し、かつ受信したメディア情報をメディア入出力装置に出力するか、受信メディア情報記憶部に記憶するかの少なくともどちらか一方に行う。
【発明の効果】
【００２９】
請求項１の発明によれば、擬似基地局装置を使用することで、被試験用の移動体通信端末の試験のために実網の基地局を使用することなく、また従来の擬似基地局に加えて個別に対向用の通信端末を準備すること無しに、移動体通信端末の開発、試験、評価を実験室等の環境で構築することができ、前述の第１の課題および第２の課題を解決できる。
【００３０】
請求項２の発明によれば、仮想端末部は予めメディア情報として作成した音声データや画像データなどを送信メディア情報記憶部に記憶させ、メディア情報変換部で所定の通信プロトコルに基づいた送信データに変換し、擬似基地局部を通して被試験機である移動通信端末に送信することができる。移動通信端末は、擬似基地局装置から受信したデータを検証することで受信系の試験をすることができる。さらに、移動体通信端末から送信され、擬似基地局部で受信したデータからメディア情報変換部でメディア情報に変換し受信メディア情報記憶部に記憶することで受信メディア情報の解析や検証を行い、移動通信端末の送信系の試験をすることができる。
【００３１】
請求項３の発明によれば、仮想端末部は情報品質判定手段を持つことにより、前述の受信メディア情報記憶部に記憶されたメディア情報の品質（音声、画像、データ欠落、データ劣化等）を判定することができる。また、移動体端末装置をデータ折返しモードに設定し、送信メディア情報記憶部に記憶されたメディア情報を送信することで、折り返されたメディア情報は受信メディア情報記憶部に記憶され情報品質判定手段により送信したデータと比較分析することで情報品質を判定することもできる。
【００３２】
請求項４の発明によれば、擬似基地局装置は制御インタフェース部を持つことで試験対象の移動通信端末をコマンドや制御信号等で制御することが可能となり、各種試験の内容に応じて仮想端末部から移動通信端末を制御して自動的に試験が可能となる。
【００３３】
請求項５の発明によれば、擬似基地局装置は複数の通信プロトコルに対応可能な構成になっている擬似基地局部を有するため、試験対象である移動通信端末の通信プロトコルを限定せずに各種の移動通信端末の試験を行うことができ、前述の第３の課題を解決できる。
【００３４】
請求項６の発明によれば、擬似基地局装置は擬似基地局部と仮想端末部の動作手順について、移動通信端末に対し所望の試験を行うための通信プロトコルの実行手順を記述した第１のシナリオと、仮想端末部で実現する仮想端末の動作手順を記述した第２のシナリオを有するため、例えば仮想端末部で実現する仮想端末の動作手順のみを変更したい場合には、第２のシナリオのみを変更するだけで良く、擬似基地局部の動作手順をする必要がなく、記述移動通信端末に対し効率的に所望の試験を行うことができる。
【００３５】
請求項７の発明によれば、擬似基地局装置は移動通信端末に対し複数の端末との組合わせの試験を行うために、擬似基地局装置内に仮想端末部を複数有するため、移動通信端末に対し効率的に複数の仮想端末との通信試験を行うことができ、前述の第２の課題を解決できる。
【００３６】
請求項８の発明によれば、仮想端末部はメディア入出力装置から入力されたメディア情報と送信メディア情報記憶部に記憶されたメディア情報を選択的に切り替えてどちらか一方を移動通信端末に送信する使用方法においては、試験内容に応じて使用するメディア情報を選択することができる。また、メディア入出力装置から入力されたメディア情報と送信メディア情報記憶部に記憶されたメディア情報の両方を移動通信端末に送信する使用方法では、通話中に予め送信メディア情報記憶部に記憶した画像データ等を同時に送信することができる。
【００３７】
さらに、擬似基地局装置が移動通信端末から受信したメディア情報の出力をメディア入出力装置と受信メディア情報記憶部のどちらか一方切り替えて行う使用方法では、受信中のメディア情報に対し任意の部分を出力する対象を選択することができる。また、擬似基地局装置が移動通信端末から受信したメディア情報の出力をメディア入出力装置と受信メディア情報記憶部の両方に行う使用方法では、受信中のメディア情報を使用者が目や耳で確認しながら受信メディア情報記憶部に記憶することができる。
【発明を実施するための最良の形態】
【００３８】
以下、図面に基づいて本発明の実施の形態を説明する。
図１は、本発明を適用した擬似基地局装置１の構成を示している。
【００３９】
この擬似基地局装置１は、移動通信端末２と任意の通信プロトコルで通信を行う擬似基地局部１０と、被試験機である移動通信端末２の通信相手（対向機）となる仮想の通信端末である仮想端末部２０と、擬似基地局部１０の通信プロトコルに応じた通信手順と仮想端末部２０の動作手順を記述したシナリオ３０と、仮想端末部２０から移動通信端末２を直接制御するために接続可能とする制御インタフェース４０とから構成されている。
【００４０】
また、シナリオ３０に代えて、擬似基地局部１０の通信プロトコルに応じた通信手順を記述した第１のシナリオ３１と、仮想端末部２０の動作手順を記述した第２のシナリオ３２との２種類のシナリオで構成される場合もある。
【００４１】
なお、擬似基地局装置１と移動通信端末２との間の無線通信における信号の送受信は、物理的に図１に示すアンテナ３を介して接続しても良いし、または直接有線にて接続することも可能である。
【００４２】
これより、図１を用いてベストモードの構成について説明する。なお、以降の説明は擬似基地局部１０の動作を記述した第１のシナリオ３１と仮想端末部２０の動作を記述した第２のシナリオ３２の２種類で動作させた場合を例に説明している。
【００４３】
仮想端末部２０は、仮想端末部２０を第２のシナリオ３２に記述された動作手順に従って制御する仮想端末制御部２４と、音声、画像、動画等の情報（以下「メディア情報」ともいう）を使用者とインタフェースするスピーカ２２ａ、マイク２２ｂ、カメラ２２ｃ、表示装置２２ｄ等からなるメディア入出力装置２２と、仮想端末部２０で実現する仮想端末の動作開始と停止指示の仮想端末制御部２４への入力、第２のシナリオ３２の指定、仮想端末部２０で実現された仮想端末への入力等を行う操作デバイス２３と、予め設定されたメディア情報の記憶や、メディア入出力装置２２から入力されたメディア情報を記憶する送信メディア情報記憶部２６と、メディア入出力装置２２および仮想端末制御部２４を通して送信メディア情報記憶部２６から入力されたメディア情報を予め定められた通信プロトコルに適応する送信データに変換して擬似基地局部１０に送信し、移動通信端末２から擬似基地局部１０が受信した予め定められた通信プロトコルの受信データからメディア情報に変換しメディア入出力装置２２への出力および受信メディア情報記憶部２５に記憶するために仮想端末制御部２４へ出力するメディア情報変換部２１と、受信メディア情報記憶部に記憶された移動通信端末２から受信したメディア情報のデータ欠け、ビット誤り等のデータ劣化、音声、画像等の品質判定や、送信メディア情報記憶部に２６に記憶されたメディア情報との比較を行う情報品質判定手段２７とから構成されている。
【００４４】
ここでは、擬似基地局装置１と移動通信端末２の間の通信プロトコルにＷ−ＣＤＭＡ方式を使用し、移動通信端末２は通常の通話機能の他にＴＶ電話機能、データ通信機能を有するものとして説明を行う。また、擬似基地局装置１内の仮想端末部で実現する仮想端末についても通話機能の他にＴＶ電話機能、データ通信機能を有する図示しない仮想携帯電話として説明を行う。
【００４５】
（実施例１）
まずは、擬似基地局装置１内の仮想携帯電話から移動通信端末２に発信を行い、ＴＶ電話で通話する場合のテストを例に図２を使用して説明する。なお、図２にはＷ−ＣＤＭＡの接続手順に係る詳細の手順等は記載していない。
【００４６】
擬似基地局装置１内の第１のシナリオ３１には、擬似基地局部１０が通信プロトコルとしてＷ−ＣＤＭＡ方式を使用し、移動通信端末２と通信を行う手順について記述されている。擬似基地局部１０は、予め指定された第１のシナリオ３１に従って、Ｗ−ＣＤＭＡ方式の擬似基地局を実現し、移動通信端末２と仮想端末部２０で実現される仮想携帯電話間の通信を実現させる。
【００４７】
Ｗ−ＣＤＭＡ方式により通話機能の他にＴＶ電話機能、データ通信機能を有する仮想携帯電話を実現するように動作手順を記述した第２のシナリオ３２を仮想端末部２０内の操作デバイス２３から仮想端末制御部２４に対し指定する。第２のシナリオには、テストの目的に合わせて発信機能のみ有する動作手順を記述することもできる。
【００４８】
仮想携帯電話の画像は、第２のシナリオ３２に記述された内容に基づき仮想端末制御部２４がメディア入出力装置２２内の表示装置２２ｄに表示する。表示装置２２ｄには仮想携帯電話の他に擬似基地局部１０の動作状況や通信ログ等の情報を同時に表示しても良い。併せて表示装置２２ｄに仮想端末部２０の動作状況や動作ログ等の情報を同時に表示しても良い。
【００４９】
表示装置２２ｄに表示された仮想携帯電話が有する画面の表示に従い被試験機である移動通信端末２の電話番号を操作デバイス２３から入力を行う。ここで使用者の操作性を向上させるために表示装置２２ｄの画面上に図示しないタッチパネル等を設置することで表示装置２２ｄに表示された仮想携帯電話のダイヤルボタンを直接操作しダイヤルを入力することもできる。
【００５０】
ダイヤル情報は、操作デバイス２３から入力され、仮想端末制御部２４よりメディア情報変換部２１を通して擬似基地局部１０に通知され、擬似基地局部１０は移動通信端末２を呼び出す。
【００５１】
移動通信端末２は、図示しない制御用端子と擬似基地局装置１の制御インタフェース部４０と接続されており、着信があったことを示すコマンドまたは電気信号にて仮想端末制御部２４に着信情報を通知する。
【００５２】
移動通信端末２からの着信情報は仮想端末制御部２４で受信され、第２のシナリオ３２に記述された着信情報受信時の動作の記述に従って仮想端末制御部２４が移動通信端末２に対し着信応答のコマンドまたは電気信号により制御インタフェース部４０を通じて指示する。移動通信端末２を制御インタフェース部４０を通して制御しない場合は、移動通信端末２を直接手動で操作しても良い。
【００５３】
着信応答の指示を受けた移動通信端末２は、擬似基地局部１０からの呼び出しに応答し、通話が可能なように通信を確立する。
【００５４】
回線が確立したことを示す情報は、擬似基地局部１０から移動通信端末２とメディア情報変換部２１を経由して仮想端末制御部２４が受領し、第２のシナリオに記述された内容に従って表示装置２２ｄに表示された仮想携帯電話が有する画面の内容を通話状態に遷移させる。
【００５５】
さらに、確立した通信の種類に応じて仮想端末制御部２４は、メディア入出力装置２２の中から必要なメディアのデバイスを有効にする。本説明ではＴＶ電話を前提にしているので、スピーカ２２ａ、マイク２２ｂ、カメラ２２ｃ、表示装置２２ｄ等が有効となり、通話相手の画像が表示装置２２ｄに表示された仮想携帯電話の有する画面に表示され通話相手の画像を見ながら通話可能となる。
【００５６】
通話の終了は、仮想携帯電話に対する通話終了操作や移動通信端末２からの通話終了操作で行う。また、第２のシナリオ３２に自動的に通話終了の手順を記述することで実現することもできる。
【００５７】
通話終了に伴って、仮想端末制御部２４は、表示装置２２ｄに表示した仮想携帯電話の有する画面上に通話終了を示す画面を表示する。なお、以降の仮想端末部２０の動作は、第２のシナリオ３２に記述された内容で決定され、継続して仮想携帯電話の操作を行うこともできるし、仮想端末制御部２４による第２のシナリオ３２の実行を終了することもできる。また、操作デバイス２３からの操作により、仮想端末制御部２４による第２のシナリオ３２の実行を強制的に終了させることもできる。
【００５８】
（実施例２）
次に、移動通信端末２から擬似基地局装置１内の仮想携帯電話に発信を行い、ＴＶ電話で通話する場合のテストを例に図３を使用して説明する。なお、図３にはＷ−ＣＤＭＡの接続手順に係る詳細の手順等は記載していない。
【００５９】
擬似基地局装置１内の第１のシナリオには、擬似基地局部１０が通信プロトコルとしてＷ−ＣＤＭＡ方式を使用し、移動通信端末２と通信を行う手順について記述されている。擬似基地局部１０は、予め指定された第１のシナリオに従って、Ｗ−ＣＤＭＡ方式の擬似基地局を実現し、移動通信端末２と仮想端末部２０で実現される仮想携帯電話との通信を実現させる。
【００６０】
Ｗ−ＣＤＭＡ方式により通話機能の他にＴＶ電話機能、データ通信機能を有する仮想携帯電話を実現するように動作手順を記述した第２のシナリオ３２を仮想端末部２０内の操作デバイス２３から仮想端末制御部２４に対し、指定する。第２のシナリオには、テストの目的に合わせて着信機能のみ有する動作手順を記述することもできる。
【００６１】
仮想携帯電話の画像は、第２のシナリオ３２に記述された内容に基づき仮想端末制御部２４がメディア入出力装置２２内の表示装置２２ｄに表示する。表示装置２２ｄには仮想携帯電話の他に擬似基地局部１０の動作状況や通信ログ等の情報を同時に表示しても良い。併せて表示装置２２ｄに仮想端末部２０の動作状況や動作ログ等の情報を同時に表示しても良い。
【００６２】
被試験機である移動通信端末２のダイヤルから仮想端末部２０で実現している仮想携帯電話の電話番号の入力を行う。移動通信端末２からの発信動作に関する操作は、手動で行っても良いし、仮想端末制御部２４が制御インタフェース４０を通じて接続された移動通信端末２に第２のシナリオ３２に記述された移動通信端末２の発信動作に関する記述に従ってコマンドまたは電気信号によって指示しても良い。
【００６３】
仮想携帯電話に対し着信が来ていることを擬似基地局部１０は、メディア情報変換部２１を通して仮想端末制御部２４に通知する。
【００６４】
移動通信端末２から着信していることを第２のシナリオに記述された仮想携帯電話の動作手順に従って、仮想端末制御部２４が表示装置２２ｄに表示した仮想携帯電話の有する画面に表示し、スピーカ２２ａから着信音を発音させる。
【００６５】
操作デバイス２３から入力された着信応答操作により、仮想端末制御部２４は、擬似基地局部１０に対しメディア情報変換部を経由して着信応答を通知し、第２のシナリオ３２に記述された内容に従って、表示装置２２ｄの仮想携帯電話が有する画面の内容を通話状態に遷移させる。
【００６６】
さらに確立した通信の種類に応じて仮想端末制御部２４は、移動通信端末２と仮想携帯電話が通話可能となるようにメディア入出力装置２２の中から必要なメディアのデバイスを有効にする。本説明ではＴＶ電話を前提にしているので、スピーカ２２ａ、マイク２２ｂ、カメラ２２ｃ、表示装置２２ｄ等が有効となり、通話相手の画像が表示装置２２ｄに表示された仮想携帯電話の有する画面に表示され通話相手の画像を見ながら通話可能となる。
【００６７】
通話の終了は、仮想携帯電話に対する通話終了操作や移動通信端末２からの通話終了操作で行う。また、第２のシナリオ３２に自動的に通話終了の手順を記述することで実現することもできる。
【００６８】
本実施例で前述したメディア情報は、例えばＷ−ＣＤＭＡの通信プロトコルの場合では、動画データはＭＰＥＧ−４（Ｍｏｖｉｎｇ  Ｐｉｃｔｕｒｅ  Ｅｘｐｅｒｔｓ  Ｇｒｏｕｐ  ｐｈａｓｅ  ４）やＩｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  ｓｅｃｔｏｒ（以下「ＩＴＵ−Ｔ」ともいう）勧告Ｈ．２６３等を使用した形式であり、音声データは３Ｇ−ＡＭＲ（３ｒｄ  Ｇｅｎｅｒａｔｉｏｎ  Ａｄａｐｔｉｖｅ  Ｍｕｌｔｉ  Ｒａｔｅ）やＩＴＵ−Ｔ勧告Ｇ．７２３．１等を使用した形式である。なお、その他の通信プロトコルにおいては、各々の規格で定められた音声や画像等に使用する所定のデータ形式のデータをメディア情報とする。
【００６９】
マイク２２ｂから入力された音声やカメラ２２ｃで撮影された画像は、メディア入出力装置２２でメディア情報へ変換されメディア情報変換部２１に渡される。またメディア入出力装置２２は、メディア情報変換部２１から受けたメディア情報を音声としてスピーカ２２ａに出力し、映像として表示装置２２ｄに表示する。ここではメディア情報への変換はメディア入出力装置２２で行うように記述したが、メディア情報変換部２１または仮想端末制御部２４で行っても良い。
【００７０】
（実施例３）
図４は、通信プロトコルがＷ−ＣＤＭＡの場合における通信フォーマット形式従った送受信データとメディア情報間の変換内容を示している。図４を用いてメディア情報変換部２１の動作について説明を行う。
【００７１】
移動通信端末２と擬似基地局部１０との間で行われる所定の通信プロトコルでの通信フォーマット形式に従った送受信データとメディア情報の相互変換をメディア情報変換部２１が行う。ＴＶ電話の通話等においては、移動通信端末２から受信した受信データからメディア情報をメディア情報変換部２１で切り出し、メディア入出力装置２２に出力する。メディア情報は、前述のＭＰＥＧ−４や３Ｇ−ＡＭＲ等の形式なので、メディア入出力装置２２で実音声データおよび実画像データに変換されて、スピーカ２２ａや表示装置２２ｄを通して出力される。実音声データや実画像データへの変換についてもメディア情報変換部２１で行っても良い。
【００７２】
次に、メディア入出力装置２２から入力された音声や画像等は、メディア入出力装置２２で前述のＭＰＥＧ−４や３Ｇ−ＡＭＲ等の形式に変換しメディア情報としてメディア情報変換部２１に渡される。メディア入出力装置２２から渡されたメディア情報は、メディア情報変換部２１で所定の通信プロトコルの通信フォーマット形式に従った送信データに変換され擬似基地局部１０を通して移動通信端末２へ送信される。入力された音声や画像から前述のＭＰＥＧ−４や３Ｇ−ＡＭＲ等の形式への変換は、メディア入出力装置２２ではなくメディア情報変換部２１で行っても良い。
【００７３】
上述のメディア情報変換部２１の動作により、仮想端末部２０で実現する仮想携帯電話と移動通信端末２が対向して通話を行うことができる。
【００７４】
また、メディア情報変換部２１が擬似基地局部１０から受け取った通信の制御に関する情報は、メディア情報に変換されることなく、受信通信制御情報として仮想端末制御部２４に渡される。仮想端末制御部２４は第２のシナリオ３２で記述された動作手順に従って受信通信制御情報に対する応答を送信通信制御情報としてメディア情報変換部２１を通して擬似基地局部１０に送付する。この処理により、仮想端末部２０は、擬似基地局部１０との間で通信を確立し通話を可能としている。
【００７５】
（実施例４）
続いて図１に示した仮想端末部２０の構成要素である受信メディア情報記憶部２５、送信メディア情報記憶部２６、情報品質判定手段２７についてその動作を説明する。
【００７６】
仮想端末部２０から擬似基地局部１０を通して送信され移動通信端末２の受信試験、評価等に使用するためのメディア情報は、送信メディア情報記憶部２６に記憶される。記憶されるメディア情報は、装置外部で作成し予め送信メディア情報記憶部２６に記憶させておくことができる。
【００７７】
また、メディア入出力装置２２から入力されたメディア情報をメディア情報変換部２１および仮想端末制御部２４を通して送信メディア情報記憶部２６に記憶させることもできる。メディア入出力装置２２に入力された音声や画像等をメディア情報として、使用する通信プロトコルに定められた所定の記憶可能なデータに変換する処理は、メディア入出力装置２２で行うが、メディア情報変換部２１または仮想端末制御部２４で行っても良い。
【００７８】
さらに、制御インタフェース部４０に接続した外部機器（例えばＰＣ）から仮想端末制御部２４を通して送信メディア情報記憶部２６に記憶することもできる。
【００７９】
移動通信端末２から擬似基地局部１０が所定の通信プロトコルで受信した受信データが、メディア情報変換部２１でメディア情報に変換され、仮想端末制御部２４を通して受信メディア情報記憶部２５に記憶される。
【００８０】
受信したメディア情報の中から受信メディア情報記憶部２５に記憶する情報の指定は、第２のシナリオ３２に記述することで指定しても良いし、操作デバイス２３から記憶開始時間と記憶時間の指定または受信データから特定データを検出してメディア情報を記憶するための条件を設定することもできる。
【００８１】
また、受信メディア情報記憶部２５に記憶されたメディア情報は、仮想端末制御部２４を通してメディア入出力装置２２の表示装置２２ｄに表示することもできる。さらに制御インタフェース部４０に接続された外部機器（例えばＰＣ）にデジタルデータとして出力することもできる。
【００８２】
仮想端末制御部２４からの指示を受けて受信メディア情報記憶部２５に記憶されたメディア情報の品質を情報品質判定手段２７が判定する。判定は、ビット誤りの検出やビット欠落等の発生頻度等から統計的手法（例えばポアソン分布や二項分布）を使用して定量的に行うことができるし、数値解析（例えば音声品質についてはＩＴＵ−Ｔ勧告Ｐ．８６１（Ｐｅｒｃｅｐｔｕａｌ  Ｓｐｅｅｃｈ  Ｑｕａｌｉｔｙ  Ｍｅａｓｕｒｅｍｅｎｔ）等）を使用して音声品質や画像品質の評価もできる。
【００８３】
また、移動通信端末２が受信データを送信データとして折り返す機能を有する場合は、送信メディア情報記憶部２６と受信メディア情報記憶部２５を連動させることで、予め送信メディア情報記憶部２６に記憶されたメディア情報を移動試験端末２に送信し、移動試験端末２で折り返させ、仮想端末部２０で受信したメディア情報を受信メディア情報記憶部２５に記憶する。情報品質判定手段２７は、送信メディア情報記憶部２６に記憶された内容を仮想端末制御部２４を通して読み取り、受信メディア情報記憶部２５に記憶されたメディア情報と比較することで送受信系全体での通信上のデータの劣化度合いや品質等の性能試験、評価等を可能とする。
【００８４】
前述のメディア情報の情報品質の判定結果は、情報品質判定手段２７が仮想端末制御部２４を通して情報品質判定結果として表示装置２２ｄに表示する。また表示装置２２ｄに表示した情報品質判定結果を制御インタフェース部４０に接続された外部機器（例えばＰＣ）にデジタルデータとして出力することもできる。
【００８５】
（実施例５）
次に、仮想端末部２０と移動通信端末２との間で通信されるメディア情報の入出力動作について説明する。
【００８６】
まず、送信側の動作について説明する。仮想端末部２０から移動通信端末２に送信されるメディア情報は、メディア入出力装置２２と送信メディア情報記憶部２６から入力される。メディア入出力装置２２と送信メディア情報記憶部２６のどちらからのメディア情報を送信するかは、第２のシナリオ３２の記述内容や操作デバイス２３からの指定または制御インタフェース４０を通してのコマンド入力（または信号入力）により行い、切り替えは仮想端末制御部２４により制御されたメディア情報変換部２１で行うか、またはメディア情報変換部２１単独で行う。
【００８７】
切り替えの種類は、メディア情報の入力元が「メディア入出力装置２２のみ」、「送信メディア情報記憶部２６のみ」、「メディア入出力装置２２と送信メディア情報記憶部２６両方から同時」の３種類がある。
前述の実施例ではメディア情報の入力元が「メディア入出力装置２２のみ」、または「送信メディア情報記憶部２６のみ」の場合を説明している。「メディア入出力装置２２と送信メディア情報記憶部２６両方から同時」の状態では、前述の仮想携帯電話と移動通信端末２との通信においてメディア入出力装置２２を使用して音声通話を行いながら送信メディア情報記憶部２６に予め記憶された画像情報を同時に送信することができる。なお、メディア入出力装置２２を使用して画像の送信を行いながら送信メディア情報記憶部２６に予め記憶された音声情報を同時に送信しても良い。
【００８８】
続いて受信側の動作について説明する。移動通信端末２から仮想端末部２０に受信されるメディア情報は、メディア入出力装置２２と受信メディア情報記憶部２５に出力される。メディア入出力装置２２と受信メディア情報記憶部２５のどちらに受信したメディア情報を出力するかは、第２のシナリオ３２の記述内容や操作デバイス２３からの指定または制御インタフェース４０を通してのコマンド入力（または信号入力）により行い、切り替えは仮想端末制御部２４により制御されたメディア情報変換部２１で行うか、またはメディア情報変換部２１単独で行う。
【００８９】
切り替えの種類は、メディア情報の出力先が「メディア入出力装置２２のみ」、「受信メディア情報記憶部２５のみ」、「メディア入出力装置２２と受信メディア情報記憶部２５両方へ同時」の３種類がある。
前述の実施例ではメディア情報の出力先が「メディア入出力装置２２のみ」、または「受信メディア情報記憶部２５のみ」の場合を説明している。「メディア入出力装置２２と受信メディア情報記憶部２５両方へ同時」の状態では、前述の仮想携帯電話と移動通信端末２との通信においてメディア入出力装置２２を使用してＴＶ電話による通話を行いながら受信メディア情報記憶部２５に音声情報や画像情報等を並行して記憶することができる。
【００９０】
（実施例６）
図５は、擬似基地局装置１に仮想端末部２０を複数有する場合を示している。ここまで説明した実施例では、擬似基地局装置１は仮想端末部２０を１つ有する状態について記述してきたが、本実施例では擬似基地局装置１が仮想端末部２０を複数有する場合について説明する。
【００９１】
複数の仮想携帯電話等を実現するために、複数の仮想端末部２０は、１つの第２のシナリオ３２を共通に使用することで、同一機能の仮想携帯電話等を複数それぞれ単独に実現でき、また各々の仮想端末部２０は非同期に第２のシナリオ３２に記述された実行手順をを実行できるためそれぞれの仮想携帯電話等が独立して動作が可能である。さらに、別々の第２のシナリオ３２を複数の仮想端末部２０にそれぞれ設定することもできるため、複数の仮想端末部２０のそれぞれで別々の仮想携帯電話等を実現することも可能である。なお、複数の仮想端末部２０で第２のシナリオ３２を共通に使用する方法と、複数の仮想端末部２０で第２のシナリオ３２を個別にもつ方法について組合わせて実現しても良い。
【００９２】
複数の仮想携帯電話等と試験対象の１台移動通信端末２とを制御インタフェース部４０を使用して接続する場合、制御インタフェース部４０は１つあれば良く、複数の仮想端末部２０のうち移動通信端末２と対向して通信している仮想端末部２０が有する仮想端末制御部２４と移動通信端末２が接続されるように制御インタフェース部４０内部で接続を切り替えて使用しても良いし、複数の仮想端末部２０に対応して制御インタフェース部４０を複数有することも可能である。
【００９３】
制御インタフェース部４０を複数持つ場合の移動通信端末２との接続は、バス形式で接続しても良いし、移動通信端末２と通信する仮想携帯電話等を実現する仮想端末部２０に接続された制御インタフェース部４０に接続しなおしても良い。
【００９４】
本実施例の場合には、メディア入出力装置２２および操作デバイス２３は、仮想端末部２０に個別に存在しても良いし、１つのメディア入出力装置および操作デバイスを複数の仮想端末部２０で切り替えて共通に使用しても良い。
【００９５】
図示しないが、第１のシナリオ３１と第２のシナリオ３２を１つのシナリオ３０とした場合について説明する。
【００９６】
前述した実施例では、擬似基地局部１０が実行する通信プロトコルの手順を記述した第１のシナリオ３１と仮想端末部２０の動作を記述した第２のシナリオ３２を別々のシナリオとして説明してきたが、擬似基地局部１０の動作と、仮想端末部２０の動作について１つのシナリオ３０として記述することも可能である。さらに第１のシナリオ３１と第２のシナリオ３２を１つのシナリオ３０とすることで擬似基地局部１０の動作と仮想端末部２０の動作の中で時系列的な関連がある部分をそれぞれ関連付けを行って記述することができ、擬似基地局部１０と仮想端末部２０相互の動作のタイミングについて試験をすることができる。
【００９７】
ここまで説明された動作により、被試験機である移動通信端末２に対し通常の通話開始から終了までの機能および通話中異常終了時等の動作などの正常系、準正常系、異常系の試験を行うことができるため、実験室等の環境で柔軟性の高い機能動作の実現や試験内容を任意に設定することができ、移動通信端末２の開発、試験、評価等が可能となる。
【００９８】
また、ここまで仮想端末部２０の動作に関して仮想携帯電話を例に説明してきたが、第２のシナリオ３２に記述された仮想端末部２０の動作に関する内容を変更することで、仮想端末部２０で固定電話、固定ＴＶ電話または情報端末等を仮想的に実現することができ、移動通信端末２と多種多様な機器との通信について試験等することができる。
【図面の簡単な説明】
【００９９】
【図１】本発明の擬似基地局装置の構成を示す図、
【図２】擬似基地局装置からの発信動作のシーケンスを示す図、
【図３】擬似基地局装置の着信動作のシーケンスを示す図、
【図４】メディア情報変換部におけるデータ変換例を示す図、
【図５】擬似基地局装置に複数の仮想端末部を有する例を示す図、
【図６】（ａ）移動通信端末と通信端末の試験を行うための従来例を示す図、  （ｂ）移動通信端末と移動通信端末の試験を行うための従来例を示す図。
【符号の説明】
【０１００】
１…擬似基地局装置、
２…移動通信端末（被試験機）、
１０…擬似基地局部、
２０、２０ａ、２０ｂ、２０ｃ、２０ｄ、２０ｅ…仮想端末部、
２１…メディア情報変換部、２２…メディア入出力装置、
２２ａ…スピーカ、２２ｂ…マイク、２２ｃ…カメラ、２２ｄ…表示装置、
２３…操作デバイス、２４…仮想端末制御部、２５…受信メディア情報記憶部、２６…送信メディア情報記憶部、２７…情報判定手段、
３０…シナリオ、
３１…第１のシナリオ、３２、３２ａ、３２ｂ、３２ｃ、３２ｄ…第２のシナリオ、
４０、４０ａ、４０ｂ、４０ｃ、４０ｄ…制御インタフェース。
【図１】
2005244651.tif 000003
【図２】
2005244651.tif 000004
【図３】
2005244651.tif 000005
【図４】
2005244651.tif 000006
【図５】
2005244651.tif 000007
【図６】
2005244651.tif 000008